(57)【要約】【課題】マルチ映像画面表示機能とＯＳＤ機能とを備えたテレビジョン受像機において、アクティブな映像がメニュー表示の裏に隠れてしまう事態を回避する。【解決手段】ディスプレイ上に同時に表示される複数の映像のうちアクティブな映像を判定し（ステップＳ１）、アクティブな映像の位置情報を取得する（ステップＳ２）。アクティブな映像に対して画面上の余白位置を判定し（ステップＳ３）、メニュー表示の配置位置を決定する（ステップＳ４）。アクティブな映像の位置情報に基づき、アクティブな映像との重なりを避けてディスプレイ上にメニュー表示をＯＳＤ表示する（ステップＳ５）。これにより、メニュー表示はアクティブな映像と重ならないので、アクティブな映像がメニュー表示の裏に隠れてしまう事態が回避される。【選択図】図２
2008122507.tif 000002
【特許請求の範囲】
【請求項１】
ディスプレイ上に複数の映像を同時に表示する機能とＯＳＤ機能とを備えた映像表示装置に適用される画面表示処理装置であって、
前記ディスプレイ上に同時に表示される複数の映像のうちアクティブな映像を判定するアクティブ判定手段と、
前記アクティブな映像との重なりを避けて前記ディスプレイ上にＯＳＤを表示するように指令する画面配置手段と
が設けられていることを特徴とする画面表示処理装置。
【請求項２】
前記アクティブな映像の位置情報を取得する位置情報取得手段が設けられ、
前記画面配置手段は、前記位置情報に基づいて前記ＯＳＤの配置位置を決定することを特徴とする請求項１に記載の画面表示処理装置。
【請求項３】
前記ディスプレイ上の映像表示領域に対する余白位置を判定する余白位置判定手段が設けられ、
前記画面配置手段は、この判定結果に基づいて前記ＯＳＤの配置位置を決定することを特徴とする請求項１または２に記載の画面表示処理装置。
【請求項４】
前記画面配置手段は、
前記ＯＳＤを前記複数の映像のうち非アクティブな映像に重ねて表示するように指令することを特徴とする請求項１乃至３のいずれかに記載の画面表示処理装置。
【請求項５】
請求項１乃至４のいずれかに記載の画面表示処理装置の画面配置手段からの指令を受けてＯＳＤ表示する機能を有することを特徴とする映像表示装置。
【請求項６】
ディスプレイ上に複数の映像を同時に表示する機能とＯＳＤ機能とを備えた映像表示装置に適用されるＯＳＤ表示方法であって、
前記ディスプレイ上に同時に表示される複数の映像のうちアクティブな映像を判定するアクティブ判定工程と、
前記アクティブな映像との重なりを避けて前記ディスプレイ上にＯＳＤを表示する画面配置工程と
を含むことを特徴とするＯＳＤ表示方法。
【請求項７】
前記アクティブな映像の位置情報を取得する位置情報取得工程を含み、
前記画面配置工程において、前記位置情報に基づいて前記ＯＳＤの配置位置を決定することを特徴とする請求項６に記載のＯＳＤ表示方法。
【請求項８】
前記ディスプレイ上の映像表示領域に対する余白位置を判定する余白位置判定工程を含み、
前記画面配置工程において、この判定結果に基づいて前記ＯＳＤの配置位置を決定することを特徴とする請求項６または７に記載のＯＳＤ表示方法。
【請求項９】
前記画面配置工程において、
前記ＯＳＤを前記複数の映像のうち非アクティブな映像に重ねて表示することを特徴とする請求項６乃至８のいずれかに記載のＯＳＤ表示方法。
【発明の詳細な説明】
【技術分野】
【０００１】
本発明は、液晶テレビ、プラズマテレビ、ブラウン管テレビなどのテレビジョン受像機その他の映像表示装置と、この映像表示装置に適用される画面表示処理装置およびＯＳＤ表示方法に関するものである。
【背景技術】
【０００２】
従来、この種の映像表示装置においては、画面上の映像表示領域にＯＳＤ表示（オンスクリーン表示）を行う際に、映像がＯＳＤ（On Screen Display）の裏に隠れてしまってユーザビリティ（作業性、使い勝手）が低下する不具合を避けるべく、ＯＳＤが映像に重ならないように制御する映像処理方法（以下、従来技術１と称する。）が提案されていた（例えば、特許文献１、２参照）。
【特許文献１】特開２００３−１３１６５６号公報
【特許文献２】特開平７−２７４１４０号公報
【発明の開示】
【発明が解決しようとする課題】
【０００３】
しかし、従来技術１では、映像が１つである１映像画面表示が前提となっており、映像が２つ以上であるマルチ映像画面表示は想定されていない。したがって、マルチ映像画面表示に従来技術１を単に適用したとしても、複数の映像のうち、どの映像が操作対象になっているか（アクティブであるか）については考慮されない。その結果、映像が２つ以上になると、その分だけＯＳＤ表示の領域が限られるため、例えば、何らかの設定メニューをＯＳＤ表示するときに、映像がＯＳＤの裏に隠れた状態で設定を行わないといけない場合が生じる。
【０００４】
本発明は、こうした課題を解決することが可能な、画面表示処理装置、映像表示装置、ＯＳＤ表示方法を提供することを目的とする。
【課題を解決するための手段】
【０００５】
本発明に係る画面表示処理装置は、ディスプレイ上に複数の映像を同時に表示する機能とＯＳＤ機能とを備えた映像表示装置に適用される画面表示処理装置であって、前記ディスプレイ上に同時に表示される複数の映像のうちアクティブな映像を判定するアクティブ判定手段と、前記アクティブな映像との重なりを避けて前記ディスプレイ上にＯＳＤを表示するように指令する画面配置手段とが設けられていることを特徴とする。
また、本発明に係る画面表示処理装置では、前記アクティブな映像の位置情報を取得する位置情報取得手段が設けられ、前記画面配置手段は、前記位置情報に基づいて前記ＯＳＤの配置位置を決定することを特徴とする。
また、本発明に係る画面表示処理装置では、前記ディスプレイ上の映像表示領域に対する余白位置を判定する余白位置判定手段が設けられ、前記画面配置手段は、この判定結果に基づいて前記ＯＳＤの配置位置を決定することを特徴とする。
また、本発明に係る画面表示処理装置では、前記画面配置手段は、前記ＯＳＤを前記複数の映像のうち非アクティブな映像に重ねて表示するように指令することを特徴とする。
また、本発明に係る映像表示装置は、上記画面表示処理装置の画面配置手段からの指令を受けてＯＳＤ表示する機能を有することを特徴とする。
また、本発明に係るＯＳＤ表示方法は、ディスプレイ上に複数の映像を同時に表示する機能とＯＳＤ機能とを備えた映像表示装置に適用されるＯＳＤ表示方法であって、前記ディスプレイ上に同時に表示される複数の映像のうちアクティブな映像を判定するアクティブ判定工程と、前記アクティブな映像との重なりを避けて前記ディスプレイ上にＯＳＤを表示する画面配置工程とを含むことを特徴とする。
また、本発明に係るＯＳＤ表示方法では、前記アクティブな映像の位置情報を取得する位置情報取得工程を含み、前記画面配置工程において、前記位置情報に基づいて前記ＯＳＤの配置位置を決定することを特徴とする。
また、本発明に係るＯＳＤ表示方法では、前記ディスプレイ上の映像表示領域に対する余白位置を判定する余白位置判定工程を含み、前記画面配置工程において、この判定結果に基づいて前記ＯＳＤの配置位置を決定することを特徴とする。
また、本発明に係るＯＳＤ表示方法では、前記画面配置工程において、前記ＯＳＤを前記複数の映像のうち非アクティブな映像に重ねて表示することを特徴とする。
【発明の効果】
【０００６】
本発明によれば、マルチ映像画面表示時において、アクティブな映像がＯＳＤの裏に隠れてしまう事態を回避することができる。したがって、アクティブな映像を見ながらＯＳＤ表示に従って容易に調整や確認の作業をすることが可能となり、ユーザビリティが向上する。
【発明を実施するための最良の形態】
【０００７】
以下、本発明の実施の形態を図面に基づいて説明する。
【０００８】
＜第１の実施の形態＞
図１は本発明に係るテレビジョン受像機の第１の実施の形態を示すブロック図、図２は画面表示プログラムの一例を示すフローチャート、図３は同一画面内に２つの映像が表示されている場合の映像位置情報を示す模式図、図４はアクティブな映像に対する画面上の余白のある位置を判定する手順を示す模式図、図５は一方の映像がアクティブな場合の表示状態を例示する模式図、図６は図５とは異なる他方の映像がアクティブな場合の表示状態を例示する模式図である。
【０００９】
テレビジョン受像機１は、図１に示すように、チューナ２、外部入力端子８、入力切替部３、映像信号／音声信号処理部４、映像／音声出力部５、リモコン１３、スピーカ１５、ディスプレイ１６、画面表示処理装置１４を備えている。画面表示処理装置１４は、ＣＰＵ（中央演算処理装置）９、映像表示状態管理部６、映像表示位置管理部７、ＯＳＤ情報格納部１０、ＯＳＤ表示部１１、映像合成処理部１２、プログラム格納部１７、画面位置情報格納部１８、リモコン信号受信部１９から構成されている。
【００１０】
そして、チューナ２は、テレビジョン信号を受信する機能を具備している。また、外部入力端子８には、図１に示すように、ＤＶＤ（デジタル多用途ディスク）プレーヤ、ＨＤＲ（ハードディスクレコーダ）、ＶＴＲ（ビデオテープレコーダ）などの外部機器２２を接続することができる。また、入力切替部３は、チューナー入力と外部入力とを切り替え、いずれかのＡＶ信号（音声・映像信号）を映像信号／音声信号処理部４に出力する機能を具備している。また、映像信号／音声信号処理部４は、入力切替部３からのＡＶ信号に基づき、映像／音声出力部５にＡＶ信号を出力する機能を具備している。また、映像／音声出力部５は、映像信号／音声信号処理部４からのＡＶ信号に基づき、スピーカ１５に音声信号を出力するとともに、映像合成処理部１２に映像信号を出力する機能を具備している。
【００１１】
また、ＣＰＵ９は、図１に示すように、映像表示状態管理部６、映像表示位置管理部７、ＯＳＤ表示部１１に対して種々の制御信号を出力するとともに、テレビジョン受像機１のシステム全体の各種制御を行う。また、映像表示状態管理部６は、ＣＰＵ９からの制御信号に基づき、映像信号／音声信号処理部４と協働して映像表示状態を管理する機能を具備している。また、映像表示位置管理部７は、ＣＰＵ９からの制御信号に基づき、映像信号／音声信号処理部４と協働して映像表示位置を管理する機能を具備している。また、ＯＳＤ情報格納部１０には、ＯＳＤ情報（具体的には、ＯＳＤ表示用キャラクタ、表示する文字列、色情報、初期表示位置情報など）が読み出し自在に格納されている。また、ＯＳＤ表示部１１には、リモコン１３からの操作指令等に基づくＣＰＵ９からの制御信号に基づき、ＯＳＤ情報格納部１０からのＯＳＤ情報と映像表示位置管理部７からのＯＳＤ表示位置情報とが入力される。さらに、映像合成処理部１２は、ＣＰＵ９からの制御信号に基づき、映像／音声出力部５からの映像信号にＯＳＤ表示部１１からのＯＳＤ信号を重ね合わせて合成し、その合成映像信号をディスプレイ１６に出力する機能を具備している。
【００１２】
また、プログラム格納部１７には、図２に示す画面表示プログラムＰＲＧ１が格納されている。
【００１３】
また、画面位置情報格納部１８には、ディスプレイ１６上に表示されている映像２０について、その表示位置情報が格納されている。例えば、図３に示すように、ディスプレイ１６上に２つの映像２０（２０Ａ、２０Ｂ）が同時に表示されている場合、一方（図３左側）の映像２０Ａについては、矩形の左上頂点の座標（Ｘ１，Ｙ１）および右下頂点の座標（Ｘ２，Ｙ２）が格納されており、他方（図３右側）の映像２０Ｂについては、矩形の左上頂点の座標（Ｘ３，Ｙ３）および右下頂点の座標（Ｘ４，Ｙ４）が格納されている。
【００１４】
また、リモコン信号受信部１９は、リモコン１３からの信号を受信してＣＰＵ９に出力する機能を具備している。
【００１５】
さらに、リモコン１３には、テレビジョン受像機１の各種制御用のボタン（図示せず）とともに、図１に示すように、アクティブな映像を特定するための操作切替ボタン１３ａ、ＯＳＤ（ここでは、以下メニュー表示として説明する。）を表示するためのＯＳＤ表示ボタン１３ｂが設けられている。
【００１６】
テレビジョン受像機１は以上のような構成を有するので、図３に示すように、ディスプレイ１６上に２つの映像２０Ａ、２０Ｂが同時に表示されているとき、つまり２映像画面同時表示のときには、ユーザ（視聴者）がリモコン１３の操作切替ボタン１３ａを押すたびに、２つの映像２０Ａ、２０Ｂが交互にアクティブとなる。すなわち、例えば、一方の映像２０Ａがアクティブ（他方の映像２０Ｂが非アクティブ（インアクティブ））であるときに、操作切替ボタン１３ａを１回押すと、他方の映像２０Ｂがアクティブ（一方の映像２０Ａが非アクティブ）となり、さらに操作切替ボタン１３ａを１回押すと、一方の映像２０Ａがアクティブ（他方の映像２０Ｂが非アクティブ）に戻る。こうした映像２０のアクティブ／非アクティブ切替は、リモコン１３からの信号に基づいてＣＰＵ９が映像表示状態管理部６に指令するため、映像表示状態管理部６は、いずれの映像２０がアクティブであるかを常に認識している。ここで、アクティブな映像２０とは、複数映像表示画面上で映像や音声等の調整が可能な対象映像として操作切替ボタン１３ａにより特定された映像を意味する。
【００１７】
そして、いずれかの映像２０（例えば、２０Ａ）がアクティブとなった状態で、ディスプレイ１６上にメニュー表示を行う際には、ユーザは、リモコン１３のＯＳＤ表示ボタン１３ｂを押す。すると、リモコン１３からＯＳＤ表示信号が出力され、リモコン信号受信部１９を介してＣＰＵ９に入力される。これを受けてＣＰＵ９は、図２に示す画面表示プログラムＰＲＧ１をプログラム格納部１７から読み出し、以下に述べる手順により、この画面表示プログラムＰＲＧ１に基づいて画面表示動作を実行する。
【００１８】
まず、ＣＰＵ９は、映像表示状態管理部６に対して、映像２０のアクティブ判定を指令する。これを受けて映像表示状態管理部６は、いずれの映像２０がアクティブであるかを判定する（ステップＳ１）。例えば、映像２０Ａがアクティブである場合、映像表示状態管理部６は、この映像２０Ａがアクティブであると判定する。また、映像２０Ｂがアクティブである場合、映像表示状態管理部６は、この映像２０Ｂがアクティブであると判定する。
【００１９】
次に、ＣＰＵ９は、映像表示位置管理部７に対して、アクティブな映像２０の位置情報の取得を指令する。これを受けて映像表示位置管理部７は、アクティブな映像２０の位置情報を画面位置情報格納部１８から読み出して取得する（ステップＳ２）。例えば、映像２０Ａがアクティブである場合、映像表示位置管理部７は、この映像２０Ａの位置情報、具体的には矩形の左上頂点の座標（Ｘ１，Ｙ１）および右下頂点の座標（Ｘ２，Ｙ２）を取得する。
【００２０】
次に、ＣＰＵ９は、映像表示位置管理部７に対して、アクティブな映像２０に対して画面上の余白位置の判定を指令する。これを受けて映像表示位置管理部７は、アクティブな映像２０の位置情報に基づき、このアクティブな映像２０に対して画面上の余白位置を判定する（ステップＳ３）。すなわち、映像表示位置管理部７は、図４に示すように、横方向については、アクティブな映像２０の左上からディスプレイ１６の左端までの距離Ｌ１と、アクティブな映像２０の右下からディスプレイ１６の右端までの距離Ｌ２とを演算し、これらの距離Ｌ１、Ｌ２を互いに比較し、大きい方の横領域を決定する。また、縦方向については、アクティブな映像２０の左上からディスプレイ１６の上端までの距離Ｌ３と、アクティブな映像２０の右下からディスプレイ１６の下端までの距離Ｌ４とを演算し、これらの距離Ｌ３、Ｌ４を互いに比較し、大きい方の縦領域を決定する。そして、横方向と縦方向を組み合わせることにより、ディスプレイ１６の左上、右上、左下、右下のいずれかの領域に、アクティブな映像２０に対する画面上の余白位置があると判定する。例えば、横方向について距離Ｌ２が距離Ｌ１より大きく（Ｌ１＜Ｌ２）、かつ縦方向について距離Ｌ３が距離Ｌ４より大きい場合（Ｌ４＜Ｌ３）には、ディスプレイ１６の右上の領域に、アクティブな映像２０に対する画面上の余白位置があると判定する。
【００２１】
次に、ＣＰＵ９は、この判定結果に基づき、映像や音声等の設定用のメニュー表示２１の配置位置を決定する（ステップＳ４）。例えば、ディスプレイ１６の右上の領域に、アクティブな映像２０に対する画面上の余白位置がある場合、ＣＰＵ９は、ディスプレイ１６の右上の領域をメニュー表示２１の配置位置と決定する。
【００２２】
最後に、ＣＰＵ９は、リモコン１３からの操作指令に対応したＯＳＤ情報をＯＳＤ情報格納部１０から読み出し、表示位置情報とともに、ＯＳＤ表示部１１に出力する。映像合成処理部１２は、映像／音声出力部５からの映像出力とＯＳＤ表示部１１からのメニュー表示情報とを合成してディスプレイ１６に出力する（ステップＳ５）。これにより、ディスプレイ１６上にはアクテイブな映像と、アクテイブな映像に対する余白位置にメニュー表示２１がＯＳＤ表示される。
【００２３】
このとき、メニュー表示２１は、ディスプレイ１６上の所定の配置位置、つまりアクテイブな映像に対する余白位置にＯＳＤ表示されるので、アクティブな映像２０と重なることはない。例えば、一方の映像２０Ａがアクティブな場合、メニュー表示２１は、図５に示すように、このアクティブな映像２０Ａとは重ならない。また、他方の映像２０Ｂがアクティブな場合、メニュー表示２１は、図６に示すように、このアクティブな映像２０Ｂとは重ならない。
【００２４】
このように、メニュー表示２１はアクティブな映像２０と重ならないので、アクティブな映像２０がメニュー表示２１の裏に隠れてしまう事態を回避することができる。したがって、ユーザはアクティブな映像２０を見ながらメニュー表示２１で容易に設定作業を行うことが可能となり、ユーザビリティが向上する。こうしたユーザビリティの向上は、特にアクティブな映像２０を見ながら決めるべき項目（例えば、アクティブな映像２０の明るさ、色合い、コントラストなど）を設定するときに重宝する。
【００２５】
ここで、画面表示プログラムＰＲＧ１に基づく画面表示動作が終了する。
【００２６】
＜その他の実施の形態＞
上述の実施の形態においては、操作対象であるアクティブな映像２０との重なりを避けてメニュー表示２１をＯＳＤ表示させる場合について説明したが、メニュー表示２１のＯＳＤ表示を行う際に、図５に示すように、アクティブな映像２０Ａとの重なりを避けるのみならず、操作対象外である非アクティブな映像２０Ｂの上に重ねるようにしても構わない。この場合、ＣＰＵ９は、アクティブな映像２０Ａおよび非アクティブな映像２０Ｂの位置情報に基づき、アクティブな映像２０Ａとの重なりを避けつつ、非アクティブな映像２０Ｂの上に重なるように、メニュー表示２１の配置位置を決定する。すると、非アクティブな映像２０Ｂがメニュー表示２１の裏に隠れるので、２つの映像２０Ａ、２０Ｂのいずれがアクティブであるのかが明確となり、ユーザビリティが一層向上する。
【００２７】
上述の実施の形態においては、マルチ映像画面表示の一例として２映像画面同時表示を取り上げて説明したが、２映像画面同時表示以外のマルチ映像画面表示（例えば、４映像画面同時表示、９映像画面同時表示など）に本発明を同様に適用することも勿論できる。
【００２８】
上述の実施の形態においては、ＯＳＤとして設定用のメニュー表示２１を取り上げて説明したが、ＯＳＤは設定用のメニュー表示２１に限定されるわけではない。例えば、チャンネル番号表示や、オンタイマー、オフタイマー、録画予約などの設定確認用や、アクティブな映像２０の関連情報やＥＰＧ等であっても構わない。
【００２９】
上述の実施の形態においては、映像表示装置の一例としてテレビジョン受像機１を取り上げて説明したが、ディスプレイ１６上に複数の映像２０を同時に表示する機能とＯＳＤ機能とを備えているものである限り、テレビジョン受像機１以外の映像表示装置（例えば、メディアプレーヤ、ポータブルＡＶプレーヤ、パーソナルコンピュータ、ゲーム機、携帯電話など）に本発明を同様に適用することも可能である。
【図面の簡単な説明】
【００３０】
【図１】本発明に係るテレビジョン受像機の第１の実施の形態を示すブロック図である。
【図２】画面表示プログラムの一例を示すフローチャートである。
【図３】同一画面内に２つの映像が表示されている場合の映像位置情報を示す模式図である。
【図４】アクティブな映像に対する画面上の余白のある位置を判定する手順を示す模式図である。
【図５】一方の映像がアクティブな場合の表示状態を例示する模式図である。
【図６】図５とは異なる他方の映像がアクティブな場合の表示状態を例示する模式図である。
【符号の説明】
【００３１】
１……テレビジョン受像機（映像表示装置）
２……チューナ
３……入力切替部
４……映像信号／音声信号処理部
５……映像／音声出力部
６……映像表示状態管理部（アクティブ判定手段）
７……映像表示位置管理部（位置情報取得手段、余白位置判定手段）
８……外部入力端子
９……ＣＰＵ
１０……ＯＳＤ情報格納部
１１……ＯＳＤ表示部（画面配置手段）
１２……映像合成処理部
１３……リモコン
１３ａ……操作切替ボタン
１３ｂ……ＯＳＤ表示ボタン
１４……画面表示処理装置
１５……スピーカ
１６……ディスプレイ
１７……プログラム格納部
１８……画面位置情報格納部
１９……リモコン信号受信部
２０……映像
２１……メニュー表示（ＯＳＤ）
２２……外部機器
ＰＲＧ１……画面表示プログラム
【図１】
2008122507.tif 000003
【図２】
2008122507.tif 000004
【図３】
2008122507.tif 000005
【図４】
2008122507.tif 000006
【図５】
2008122507.tif 000007
【図６】
2008122507.tif 000008